(57)【要約】      （修正有）【課題】収納家具の表面を覆う、離間式スライディング扉において、開閉時の揺動を抑えて、円滑にスライドさせことができる引き戸式扉の開閉装置を提供する。【解決手段】家具１の上面及び底面に装着されたレールホーム１１に沿って左右に移動する扉２００を前方に離間させながらガイドするスライディング部材３０を設ける。スライディング部材は、上部連結フレーム２０と下部連結フレームとで、扉と結合された移動区３３と移動区の前後方向の動きを案内するガイド区３１を含む。移動区３３のガイド区３１に接する内面を凹凸形状にして接触面積を減少させて、摩擦抵抗を減らす。【選択図】図１
2012202206.tif 000002
【特許請求の範囲】
【請求項１】
収納空間を有する家具の前面に設けられてスライディングされる引き戸式扉を開閉する開閉装置において、家具の上面及び底面に装着されるレールフレーム（１０）と；  
扉の上部と連結され対面のレールフレームに形成された両側が後方に曲げられたレールホームに沿ってスライディングされる上部連結フレーム（２０）と；  
底面のレールフレームに形成された両側が後方に曲げられたレールホームに沿って移動して扉を前方に離隔しながらスライディングするスライディング部材（３０）と；  
扉の下側とスライディング部材を連結する下部連結フレーム（４０）を含み、前記スライディング部材（３０）は底面のレールフレームに形成された案内ホームに装着されて水平移動ローラー（３２）によって水平方向に移動されるガイド区（３１）と；  
前記ガイド区（３１）の少なくとも一部の周囲を包囲しガイド区の上で前後方にスライディング可能に具備され、移動区の上部にはレールホームに沿って移動される垂直移動ローラー（３４）を含む移動区（３３）を含み、前記移動区（３３）とガイド区（３１）が接する第１接触部は内側面が凹凸形状に形成されていることを特徴とする引き戸式扉の開閉装置。
【請求項２】
前記移動区（３３）とガイド区（３１）が接する第２接触部（３７）は、移動区（３３）がガイド区（３１）から一定の距離離れるように移動区の内側に突出形成されられた支持突起（３８）によって支持されることを特徴とする請求項１に記載の引き戸式扉の開閉装置。  
【請求項３】
前記ガイド区（３１）の表面にはコーティング層が形成されて、移動区の材質はアセタール樹脂からなることを特徴とする請求項１または請求項２に記載の引き戸式扉の開閉装置。  
【請求項４】
前記ガイド区（３１）と移動区（３３）の間には扉が前方に離隔してから復帰する際、移動区が弾力的に復帰できるようにする弾性部材（５０）がさらに装着されていることを特徴とする請求項１または請求項２に引き戸式扉の開閉装置。
【請求項５】
前記扉（２００）の開閉時の衝撃を緩和させるためにスライディング部材またはレールフレームに装着される緩衝手段（６０）をさらに含むことを特徴とする請求項４に記載の引き戸式扉の開閉装置。
【請求項６】
前記扉（２００）は扉（２００）が特定位置に装着されることができるように調整することができるレベルロ（７０）をさらに含み、前記レベルロ（７０）は扉（２００）と上部連結フレーム（２０）または下部連結フレーム（４０）とボルト締結されるための締結穴（７１ａ）が形成された締結ブロック（７１）と；
内部に前記締結ブロック（７１）が設けられて上下調整ボルト（７３）の回転によって締結ブロック（７１）を上下に移動させる上下移動ブロック（７５）と；
内部に前記上下移動ブロック（７５）が設けられて左右調整ボルト（７７）によって上下移動ブロック（７５）を左右に移動させるハウジング（７９）で構成されたことを特徴とする請求項１に記載の引き戸式扉の開閉装置。
【発明の詳細な説明】
【技術分野】
【０００１】
本発明は引き戸式扉の開閉装置に関する。より具体的にはレールホームが  家具の上面及び底面に形成されて家具の扉が前方に離隔スライディング開放されるようにするによって扉の開閉が容易であることは勿論、収納空間が最大限確保されることができるようにする引き戸式扉の開閉装置に関する。  
【背景技術】
【０００２】
一般に食器棚や書棚または収納棚あるいは洗面場・浴室・トイレ等に設けられる棚（以下、「収納用家具」または単に「家具」という。）では、前面には収納された物品が落下したり埃で汚染されたりするのを防ぐため、あるいは、物品がそのまま露出して美観を損ねることのないように収納空間を覆う扉がその前面に設置される。  
【０００３】
このような家具に設置される扉は、開閉方式に従って通常的に開き戸式と引き戸式に分けられる。ここで、開き戸式は扉の一部が回転自在にヒンジ（ｈｉｎｇｅ）結合されたり蝶番などが装着されており、扉が、ヒンジや蝶番で固定された部分を基点として家具前方に向けて、扉の幅程度の一定の回転半径で開閉される方式を言う。
【０００４】
しかし、開き戸式の場合、扉の幅程度の開閉に要する一定の回転半径を確保しなければならないという問題を有する。
【０００５】
一方、引き戸式の場合は家具の収納空間の前面にレールが形成されたフレームが備えられており、収納空間の前面を覆う複数枚（典型的には２枚）の扉がフレームのレール上に装着されるものであり、扉をレール上においてスライドすることによって開閉する方式である。  
【０００６】
しかし、前記のような引き戸式扉は扉の枚数と同じ本数のレールを要するためレールの本数分だけフレームの占有幅が増大し家具の収納空間が減るという問題点があった。
【０００７】
特許文献１（韓国登録実用新案２０−０４４８１６６）では、収納本体（１００）、扉（２００）、Ｃ字形チャンネル（３００）及びスライダー装置（４００）で構成されて扉の開放の時には扉が垂直方向で離隔スライディングされ、閉鎖時にはまた原位置で戻って来るようにするスライド型の浴室収納棚が提案されている。  
【０００８】
より具体的には、図１１に示すように、スライド型浴室収納棚のスライダー装置（４００）Ｃ字形チャンネル（３００）の内部を左右に移送する左右移送用ローラー（４１０）と、  左右移送用ローラー（４１０）を搭載するスライディング軸（４２０）とスライディング軸に結合されて本体に沿って垂直方向で移送されるガイド（４３０）とガイド（４３０）の上部に設置されてスライディング扉の垂直移送をガイドするガイド用ローラー（４４０）で構成されている。
【０００９】
前記のような構成を有するスライダー装置は収納本体の底面に装着されるによってフレームが占める空間が減って収納空間が広くなる利点はあるが、スライディング軸と、これによって移送されるガイドとの間の接触面積が大きいため、大きな摩擦抵抗が発生する。またガイドとスライディング軸の間に干渉が生じて扉のスライディングが円滑でないという問題点があった。  
【００１０】
同時に、前記ガイドは片側が開放されているため、スライディング軸との結合力が劣っており、スライディングの際に揺動が生じ、これによって扉の円滑なスライディングが邪魔されるという問題点もあった。
【先行技術文献】
【特許文献】
【００１１】
【特許文献１】韓国登録実用新案２０−０４４８１６６
【発明の概要】
【発明が解決しようとする課題】
【００１２】
本発明は前記のような問題点の解決を目的とする。具体的には、扉が前方に離隔後スライディング開放されて扉の簡便な開閉を実現するとともに、扉のスライディング時の揺動を防止して安定的に開閉されるようにする引き戸式扉の開閉装置を提供することを目的にする。  
【００１３】
本発明の他の目的はスライディング部材の摩擦抵抗を減少させることにある。  
【００１４】
本発明の別の目的はガイド区と移動区の表面を滑りやすくして摩擦抵抗を低減することにある。
【００１５】
本発明のさらに別の目的は扉の復帰を円滑にすることにある  
【００１６】
本発明のまた他の目的は扉の開閉時の衝撃を最小化することにある。  
【００１７】
本発明のまた他の目的は扉を定位置に装着できるようにすることにある。
【課題を解決するための手段】
【００１８】
本発明は前記のような目的を果たすために、  
【００１９】
収納空間を有する家具の前面に設けられてスライディングされる引き戸式扉を開閉する開閉装置において、  
家具の上面及び底面に装着されるレールフレームと；  
扉の上部と連結され対面のレールフレームに形成された両側が後方に曲げられたレールホームに沿ってスライディングされる上部連結フレームと；  
底面のレールフレームに形成された両側が後方に曲げられたレールホームに沿って移動して扉を前方に離隔しながらスライディングするスライディング部材と；  
扉の下側とスライディング部材を連結する下部連結フレームを含み、  
前記スライディング部材は底面のレールフレームに形成された案内ホームに装着されて水平移動ローラーによって水平方向に移動されるガイド区と；  
前記ガイド区（３１）の少なくとも一部の周囲を包囲しガイド区の上で前後方にスライディング可能に具備され、移動区の上部にはレールホームに沿って移動される垂直移動ローラーを含む移動区を含むことを特徴とする引き戸式扉の開閉装置を提供する。
【００２０】
また、前記移動区とガイド区が接する第１接触部は内側面が凹凸形状に形成されたことを特徴とする。
【００２１】
また、前記移動区とガイド区が接する第２接触部は移動区がガイド区から一定の距離離れるように移動区の内側で突出形成された支持突起によって支持されることを特徴とする。  
【００２２】
また、前記ガイド区の表面にはコーティング層が形成されて、移動区の材質はアセタール樹脂からなることを特徴とする。  
【００２３】
また、前記ガイド区と移動区の間には扉が前方に離隔してから復帰する際に移動区が弾力的に復帰し得るようにする弾性部材がさらに装着されていることを特徴とする。
【００２４】
また、前記扉の開閉時の衝撃を緩和させるためにスライディング部材またはレールフレームに装着される緩衝手段をさらに含むことを特徴とする。  
【００２５】
また、前記扉には扉が定位置に装着されることができるように調整することができるレベルロをさらに含み、前記レベルロは扉と上部連結フレームまたは下部連結フレームとボルト締結されるための締結穴が形成された締結ブロックと；  
内部に前記締結ブロックが設けられて上下調整ボルトの回転によって締結ブロックを上下に移動させる上下移動ブロックと；  
内部に前記上下移動ブロックが設けられて左右調整ボルトによって上下移動ブロックを左右に移動させるハウジングで構成されたことを特徴とする。
【発明の効果】
【００２６】
本発明による引き戸式扉の開閉装置は、扉がスライディング離隔によって前方に離隔開放される。ガイド区の一部を包囲して装着された移動区を通じて扉のスライディングの時スライディング部材の揺動を防止してより安定的に開閉が可能であり、扉のスライディングのためのレールホームが家具の上面及び底面に形成されているため、レールが美観を害することを防止することができる。また、レールが家具の収納空間を占有しないため収納空間を最大限確保する効果を有する。  
【００２７】
また、切開ホーム及び支持突起の形成に移動区とガイド区の間で接触面積を最小化するによってガイド区上における移動区のスライディングの時摩擦抵抗をより低減できる上、これを通じてより円滑なスライディングを可能とする効果を有する。  
【００２８】
また、ガイド区と移動区の表面が滑りやすい材質からなり、摩擦係数が小さいためスライディング時の摩擦抵抗が低減し、これによってより円滑なスライディングが可能な効果を有する。  
【００２９】
また、移動区とガイド区の間に弾性部材を装着するによって、扉の開放時には弾性部材を通じて弾性的に支持し得るため、扉の閉鎖時には弾性部材の復元力によってより弾力的かつ速かに復帰して扉を閉じることができるという効果を有する。  
【００３０】
また、緩衝手段を具備し、扉の急激な閉鎖の際、緩衝作用をすることによって扉の開閉時に発生する衝撃が最小化され、開閉による扉の損傷を防止するのはもちろん、  従来、開閉時に発生することのあった衝撃音等の騷音も発生しないという効果を有する。  
【００３１】
また、扉にレベルロが含まれるによって上部連結フレームまたは下部連結フレームと扉がボルト締結される時、扉が定位置に来ることができるように締結穴の位置を容易に調整可能で、  これによって施工作業がより簡便になるという効果を有する  
【図面の簡単な説明】
【００３２】
【図１】図１は本発明の第１の実施態様による引き戸式扉の開閉装置を表す分解図。
【図２】図２は図１の開閉装置の要部を拡大して表す底面図。
【図３】図３は図１の開閉装置のスライディング部材を拡大して表す図面。
【図４】図４は図１の結合状態を表す側断面図。
【図５】図５は図３のスライディング部材の断面図。
【図６】図６は本発明の第１実施例による引き戸式扉の開閉装置の作動状態を示す底面図。
【図７】図７は本発明の第２実施例による引き戸式扉の開閉装置においてスライディング部材を表す図面。
【図８】図８は本発明の第３実施例による引き戸式扉の開閉装置においてスライディング部材を表す図面。
【図９】図９は本発明の引き戸式扉の開閉装置においてレベルロを拡大して表す図面。
【図１０】図１０は図９のレベルロの断面図。
【図１１】図１１は従来の引き戸式扉の開閉装置を表す分解図。
【発明を実施するための形態】
【００３３】
以下、添付図面を参照して本発明を実施態様をより具体的に説明するが、本発明は図面に示された実施態様のみに限定されるものではない。  
【００３４】
図１は本発明の第１実施例による引き戸式扉の開閉装置を表す分解図であり、図２は  図１の開閉装置の要部を拡大して表す底面図であり、図３は図１の開閉装置のスライディング部材を拡大して表す図面であり、図４は図１の結合状態を表す側断面図である。
【００３５】
ここに図示するように、本発明は収納空間を有する家具の全面に設置されてスライディングされる引き戸式扉を開閉する開閉装置に関するものであり、扉（２００）が前方に向けて離隔しスライドすることにより扉の簡便な開閉を実現し、扉（２００）のスライディング時の揺動を防止し、安定的な開閉を可能にするものであり、レールフレーム（１０）と、上部連結レールフレーム（２０）、スライディング部材（３０）及び下部連結フレーム（４０）を含む。
【００３６】
本発明による引き戸式扉の開閉装置について、各構成別にさらに詳しく説明する。  
【００３７】
まず、前記レールフレーム（１０）が家具（１）の上面及び底面にそれぞれ装着されるもので、レールホーム（１１）が形成されている。  
【００３８】
ここでレールホーム（１１）は扉（２００）の開閉時のスライディング経路を案内するもので、両側が後方に曲げられた中央側はこの両側より前方に突出されるように形成される。扉（２００）は、上部連結フレーム（２０）及び下部連結フレーム（４０）を通じてレールホーム（１１）に装着されてレールホーム（１１）に沿ってスライディングできる。
【００３９】
前記上部連結フレーム（２０）は、扉（２００）の上側と連結し、上面のレールフレーム（１０）に形成され両側が後方に曲げられたレールホームによってスライディングされるもので、前記上部連結フレーム（２０）は家具の上面に結合される水平板（２１）とこの水平板（２１）から垂直方向に延長形成される垂直板（２２）からなる。前記上部連結フレーム（２０）の底面、より具体的に水平板（２１）の底面にはレールホーム（１１）に沿ってスライディングされる垂直移動ローラー（２３）が具備されており、扉（２００）の開閉時、垂直移動ローラー（２３）がレールホーム（１１）に沿って左右にスライディングすることによって上部連結フレーム（２０）に連結された扉（２００）を開閉する。この時、前記レールホーム（１１）は両側より中央側が前方に突き出た形状に形成されているため、扉（２００）はスライディングしながら前方に離れていく。  
【００４０】
同時に前記垂直移動ローラー（２３）は、ローラー面がレールフレーム（１０）と垂直となるように上部連結フレーム（２０）に回転可能に装着されてレールホーム（１１）に沿って回転される。  
【００４１】
また、前記レールホーム（１１）は一つの扉に設けられる、後に説明するスライディング部材（３０）の個数に応じて具備することができる。  
【００４２】
前記スライディング部材（３０）は扉（２００）を緩やかに前方に移動させながら開閉するためのもので、  底面のレールフレーム（１０）に形成された両側の曲げられたレールホームによって移動して扉（２００）を前方に離隔させながらスライディングするものである。ここで、底面のレールフレーム（１０）に形成されたレールホーム（１１）は上面のレールフレーム（１０）に形成されたレールホーム（１１）と等しい形態を有する。  
【００４３】
このような前記スライディング部材（３０）は大きく移動区（３３）とガイド区（３１）を含むもので、図２ないし図４を参照してより詳細に説明する。
【００４４】
前記ガイド区（３１）は底面のレールフレーム（１０）に形成された案内ホーム（１２）に装着されて水平移動ローラー（３２）によって水平方向に移動される。
【００４５】
ここで前記案内ホーム（１２）は水平方向だけで移動されるガイド区（３１）の経路を案内するためのもので、図示するように前記案内ホーム（１２）は底面のレールフレーム（１０）にＣ字形チャンネルの形態に形成され得る。このような案内ホーム（１２）にはガイド区（３１）前後方にそれぞれ具備される複数の水平移動ローラー（３２）に回転自在に装着されてガイド区（３１）が案内ホーム（１２）に沿って離脱なしに左右、すなわち、水平方向に移動されるようにする。
【００４６】
この時少なくとも一つの水平移動ローラー（３２）は表面に拘束ホーム（３２ａ）が形成されて案内ホーム（１２）に形成される突出段差にかからないようにするもので、ガイド区（３１）の離脱をより効果的に防止することができる。  ここで前記水平移動ローラー（３２）のローラー面は前述した垂直移動ローラー（３４）のローラー面と垂直を成す。  
【００４７】
前記移動区（３３）は前記ガイド区（３１）の少なくとも一部の周囲を包囲し、ガイド区（３１）上で前後方にスライディング可能に設けられ、移動区（３３）の上部にはレールホーム（１１）に沿って移動する垂直移動ローラー（３４）を含む。  
【００４８】
前記移動区（３３）は前記ガイド区（（３１）の周囲に対応する形状に形成されており、ガイド区（３１）の一部を包囲するように設けられる。これにより、ガイド区（（３１）と移動区の結合が安定的に実現される。  これによって移動区（３３）のスライディングにより、扉が前方に離隔する際も、揺動なしにより安定的な扉の開閉が可能である。  
【００４９】
また、前記移動区（３３）に形成される垂直移動ローラー（３４）は水平移動ローラー（３２）と垂直方向に装着されるもので、下部連結フレーム（４０）の底面に形成されたレールホーム（１１）に沿って移動する。  
【００５０】
このような移動区（３３）の垂直移動ローラー（３４）は後方から前方に移動されるレールホーム（１１）に沿って移動して扉（２００）を前方に離隔させる。
【００５１】
図５は図３のスライディング部材の断面図で、  ここに図示したように本発明の引き戸式扉の開閉装置において、前記移動区（３３）とガイド区（３１）が接する第１接触部（３５）には内側面が凹凸形状に形成することができる。  
【００５２】
ここで第１接触部（３５）は移動区（３３）とガイド区（３１）の両側が接する部分で、  第１接触部（３５）部分の移動内側面が凹凸に形成されるによって移動区（３３）とガイド区（３１）間の接触面積を最小化できる。  
【００５３】
これによって移動区とガイド区の接触面積が低減可能であり、  これを通じて摩擦抵抗が減少されてより効果的に移動区のスライディングが可能である。  
【００５４】
これに加えて前記移動区（３３）とガイド区（３１）が接する第２接触部（３７）は移動区（３３）がガイド区（３１）から所定間隔をおいて離隔できるように設けられており、移動区（３３）の内側で突出形成された支持突起（３８）によって支持されるようにすることもできる。  
【００５５】
ここで前記第２接触部（３７）は移動区（３３）とガイド区（３１）が互いに接するようになる上面と、下面部分であり、前記支持突起（３８）を形成することによって支持突起（３８）部分外には互いに接触する部分がないようにして、移動区（３３）とガイド区（３１）間の接触面積をより最小化することができる  
【００５６】
このような接触面積の最小化はガイド区（３１）上で移動区（３３）のスライディングの時の摩擦抵抗をより低減するものであり、これにより、移動区の円滑なスライディングを実現できる。  したがって扉の開閉時、扉をより穏やかに前方で離隔できる。  
【００５７】
前記下部連結フレーム（４０）は扉（２００）の下側とスライディング部材を連結するもので、より具体的には前記下部連結フレーム（４０）は家具の底面に結合される水平板（４１）と、前記水平板（４１）から垂直方向で延長形成される垂直板（４２）からなり、下部連結フレーム（４０）の水平板（４１）の対面とスライディング部材（３０）の移動区（３３）がボルト結束されて前記垂直板（４２）と扉（２００）の下側がボルト締結を通じて結合される  
【００５８】
このように下部連結フレーム（４０）が扉とスライディング部材を連結させるによって、本発明による引き戸式扉の開閉装置は、スライディング部材による離隔によって扉を前方に離隔させつつスライディングできる。  
【００５９】
図６は  本発明の第１実施例による引き戸式扉の開閉装置の作動状態を示す底面図である。これを参照して作動状態を説明すると次の通りである。  
【００６０】
まず、扉（２００）は閉じられた状態では各扉の全面が同一面を成している。  そしてスライディング部材（３０）の移動区はガイド区の後方に位置する。
【００６１】
使用者が扉を開こうとする時には、扉（２００）に力をかけて一方の側からスライディングさせることによってガイド区（３１）が案内ホーム（１２）に沿って水平方向にスライディングされるが、この際、移動区（３３）の垂直移動ローラー（３４）がレールホーム（１１）に従って後方から前方に移動する。これにより移動区（３３）がガイド区（３１）の後方から前方に移動されて扉（２００）を前方に離隔させながら開く。  
【００６２】
このように離隔された扉は扉を開こうとする方向に他の扉の前方に重なるように開放される。
【００６３】
これによって、本発明の引き戸式扉開閉装置は扉がスライディングによって前方に離隔開放されるが、ガイド区（３１）を包囲して装着された移動区を通じて扉のスライディングの時スライディング部材の揺動を防止し、より安定的に開閉が可能である。また、扉のスライディングのためのレールホームが家具の上面及び底面に形成されているため、レールによって美観を害することがない。さらに、レールが家具の収納空間を占有しないため、収納空間を最大限確保することもできる。  
【００６４】
一方、前述の引き戸式扉の開閉装置において、前記ガイド区（３１）の表面にはコーティング層を形成してもよい。また、移動区（３３）の材質は低摩擦性樹脂、例えば、アセタール樹脂で構成してもよい。
【００６５】
前記コーティング層はクリアコーティングによって形成されることができるもので、ガイド区（３１）の表面に例えば、透明な液状のコーティングを塗って乾燥させる。ガイド区（３１）の表面を滑らかに形成することができるし、これを通じて移動区（３３）のスライディング時の摩擦抵抗を低減することができる。この、クリアコーティングの詳細は慣用されるクリアコーティング、特に摩擦抵抗の低減を意図するものと同様である。  
【００６６】
また、前記ガイド区（３１）は、例えば、アルミニウム材質で構成できるが、この場合、表面の酸化を防止するため、アノーダイジング（ａｎｏｄｉｚｉｎｇ）コーティングしたものが好ましく使用できるが、これに限定されるものではない。
【００６７】
また、前記アセタール樹脂は主鎖にアセタール結合を有するホルムアルデヒドまたはトリオキサン（ｔｒｉｏｘａｎｅ）の重合体で、電気絶縁性、耐磨耗性、耐熱性などに優れており、摩擦係数が小さいという特性を有する。  したがって本発明による移動区の材質で使われる場合移動区とガイドで間の摩擦が少なく、より円滑なスライディングをより実現できる。  
【００６８】
すなわち、前記のような材質からなるガイド区と移動区は表面が滑らかに形成されて、摩擦係数が小さいため、スライディング時の摩擦抵抗が減少して、  これによって円滑なスライディングが可能である。
【００６９】
図７は  本発明の第２実施例による引き戸式扉の開閉装置で
【００７０】
スライディング部材を表す図面である。ここに示したように、本発明の引き戸式扉の開閉装置において、前記ガイド区（３１）と移動区（３３）の間には扉（２００）を前方で離隔した後に復帰する際、移動区（３３）を弾力的に復帰できるようにする弾性部材（５０）をさらに装着できる  
【００７１】
ここで、弾性部材（５０）は通常のスプリングなどが使用できる。ガイド区（３１）の後方側と移動区（３３）の前方側にはそれぞれ弾性部材（５０）が装着できる装着突起（３１ａ）、（３３ａ）が形成されており、弾性部材（５０）の両端がガイド区（３１）及び移動区（３３）に形成されたそれぞれの装着突起（３１ａ）、（３３ａ）に装着されるようにする。  
【００７２】
このように弾性部材が装着された引き戸式扉の開閉装置は扉が閉まる際、弾力的に閉じることができる。すなわち、扉を開放させるためにスライディングして扉を前方に離隔しながらガイド区と結合された移動区が前方に離隔するが、この時ガイド区と移動区を連結している弾性部材が弾性的にこれらスライディング部材を支持する。  
【００７３】
また、離隔した扉を閉める時には離隔の時弾性力によって支持されていた移動区が復元力によって扉をより速かに復帰させて閉鎖を穏やかに実現できる。  
【００７４】
このような弾性部材は図示したように移動区とガイド区の一側に一つを具備することもできるが、扉の重さが重いとか扉の開閉をより容易にするなどの必要に応じて、より多数の弾性部材を設けてもよい。  
【００７５】
図８は、本発明の第３実施例による引き戸式扉の開閉装置におけるスライディング部材を表す図面である。
【００７６】
ここに図示したように、本発明の引き戸式扉の開閉装置は、前記扉（２００）の開閉時の衝撃を緩和させるためにスライディング部材（３０）またはレールフレーム（１０）に装着される緩衝手段（６０）をさらに含み得る。  
【００７７】
前記緩衝手段（６０）は通常のダンパなどのような緩衝部材で、図２及び図８に示すようにスライディング部材（３０）を構成するガイド区（３１）と移動区（３３）の連結部分や、扉を閉める部分またはスライディング部材が移動される経路上のレールフレーム上に設置してもよい。
【００７８】
この時、前記緩衝手段（６０）は通常のケース内部にダンパを内蔵してスライディング本体の一部に接触することによって緩衝力を有する形態で使用できるし、この他にも多様な公知の方法で具備することができる。  
【００７９】
このような緩衝手段（６０）はスライディング部材（３０）に装着されて緩衝作用を通じて移動区（３３）が急激に後方に移動することを防止する。  特に、スライディング部材（３０）に弾性部材が具備された場合、この弾性部材の復元力によって急激に後方に移動することを効果的に防止する。  これによって扉が急激に閉まるのが防止されて衝撃を最小化し得る。  
【００８０】
また、緩衝手段がレールフレームに装着されて緩衝作用をするによって扉の開閉時に発生する衝撃がより最小化されて開閉による扉の損傷を防止するのはもちろん、従来、開閉時に発生することがあった衝撃音等の騷音も発生しない。  
【００８１】
一方、本発明は図１に図示したように引き戸式扉の開閉装置において、前記扉（２００）には扉が（２００）定位置に装着されることができるように調整することができるレベルロ（７０）をさらに含むことができる。  
【００８２】
前記レベルロを拡大して表す図９及び図１０に図示するように、前記レベルロ（７０）は扉（２００）と上部連結フレームまたは下部連結フレーム（４０）とボルト締結されるための締結穴（７１ａ）が形成された締結ブロック（７１）と、内部に前記締結ブロック（７１）が設けられて上下調整ボルト（７３）の回転によって締結ブロック（７１）を上下に移動させる上下移動ブロック（７５）と、内部に前記上下移動ブロック（７５）が設けられて左右調整ボルト（７７）によって上下移動ブロック（７５）を左右に移動させるハウジング（７９）で構成される。  
【００８３】
より具体的には、前記締結ブロック（７１）には前記上下調整ボルト（７３）と左右調整ボルト（７７）が締結されることができる第１締結ホーム（７２）、第２締結ホーム（７４）がそれぞれ形成されている。  そして前記上下移動ブロック（７５）には第１締結ホーム（７２）と対応する位置に上下調整ボルト（７３）が締結されることができる締結ホームが形成されている。  
【００８４】
この時前記第１締結ホーム（７２）にはねじ山が形成されており、上下調整ボルト（７３）を第１締結ホーム（７２）及び上下移動ブロック（７５）の締結ホームに挿入して回転させれば上下調整ボルト（７３）の回転方向によって締結ブロック（７１）が上下調整ボルト（７３）のねじ山に付いて上下に移動するようになって締結穴（７１ａ）の位置を調節することができる。  
【００８５】
また、前記上下移動ブロック（７５）には第２締結ホーム（７４）と対応する位置に第３締結ホーム（７６）が形成されており、前記ハウジング（７９）には左右調整ボルト（７９）が左右に移動されて締結されることができるガイドホーム（７８）が形成されている。  
【００８６】
そして左右調整ボルト（７７）が前記第２締結ホーム（７４）及び第３締結ホーム（７６）そしてガイドホーム（７８）に挿入されてハウジング（７９）内で上下移動ブロック（７５）及び締結ブロック（７１）が左右調整ボルト（７７）によって同時に移動できるように締結される。これと一緒に締結された左右調整ボルト（７７）の位置をガイドホーム（７８）の範囲内で左右に移動させるもので締結ブロック（７１）及び上下移動ブロック（７５）が一緒に左右に移動されて、これを通じて締結穴（７１ａ）の位置を左右に移動させることができる。  
【００８７】
内部に前記のような締結ブロック及び上下移動ブロックが含まれた前記ハウジング（７９）はボルト締結などを通じて扉に装着されて上部連結フレーム（２０）または下部連結フレーム（４０）と連結できる締結穴（７１ａ）の位置を調整するもので、扉が上部連結フレームまたは下部連結フレームにねじ曲がることなしに装着されることができるし、このように締結穴の位置調整が容易であり施工作業をより簡便化できる。
【図１】
2012202206.tif 000003
【図２】
2012202206.tif 000004
【図３】
2012202206.tif 000005
【図４】
2012202206.tif 000006
【図５】
2012202206.tif 000007
【図６】
2012202206.tif 000008
【図７】
2012202206.tif 000009
【図８】
2012202206.tif 000010
【図９】
2012202206.tif 000011
【図１０】
2012202206.tif 000012
【図１１】
2012202206.tif 000013